(57)【特許請求の範囲】
【請求項１】
シート状印刷物と、
室内外の壁面に設置され、前記シート状印刷物に対応する掲示窓を有するハウジングと、
前記ハウジング内のほぼ両端に設置され、透明または半透明なロール状のフィルムを一方側から巻出し他方側に巻取って両方向に搬送自在な一対のスプールと、
前記フィルムの搬送方向に対して直角方向でほぼ全幅にわたって所定の間隔で前記フィルムの表面に配設された複数のホルダと、
前記ホルダの複数箇所の所定位置に内蔵され、前記フィルムの搬送方向に対して張力を有して突出自在なスプリング部材と、
前記シート状印刷物の搬送方向の両端に接合され、前記フィルムの表面で隣接する１組の前記ホルダの前記スプリング部材と係合することによって前記シート状印刷物を前記フィルムの表面に沿わせて保持する引張補助部材とを具備することを特徴とする連続掲示装置。
【請求項２】
前記スプリング部材が、前記ホルダから前記フィルムの搬送方向に突出又は退避する突出部を有し、
前記引張補助部材が、前記突出部に係合する係合部を前記スプリング部材に対応する所定位置に設けられていることを特徴とする請求項１に記載の連続掲示装置。
【請求項３】
前記ホルダが、中空状をなし、切欠部が前記フィルムの搬送方向に直交する方向に所定の間隔を空けて形成される一方、
前記スプリング部材が、
前記切欠部から外側に突出する長リング部と、
前記ホルダ内に保持されて前記長リング部に接続し、前記長リング部を前記ホルダの内側方向に付勢する両足部分とを有することを特徴とする請求項２に記載する連続掲示装置。
【請求項４】
前記フィルムは、前記ハウジング側に配設される位置検出器に対向し、前記位置検出器によって前記シート状印刷物に対応する所定の停止位置を検出可能な検出用指標を具備することを特徴とする請求項１乃至請求項３のいずれか１つに記載の連続掲示装置。
【請求項５】
前記フィルムは、前記フィルム面に生じた静電気を前記ハウジングの前記掲示窓周辺側に設けた導電性部材に接触させ除電することを特徴とする請求項１乃至請求項４のいずれか１つに記載の連続掲示装置。
【請求項６】
前記ハウジングは、前記シート状印刷物を裏面側から前記フィルムを介して照明する照明手段を具備することを特徴とする請求項１乃至請求項５のいずれか１つに記載の連続掲示装置。
【請求項７】
前記ハウジングが、前記掲示窓を含む正面カバーと、前記一対のスプール及び前記一対のスプールに駆動力を与える駆動源を含む機構台板とを回動可能に保持し、
前記照明手段が、前記ハウジング内のほぼ中央背面側に配設されて前記正面カバー及び前記機構台板を開動させたときに正面に露出し交換自在となる照明用光源を有することを特徴とする請求項６に記載の連続掲示装置。
【発明の詳細な説明】
【０００１】
【発明の属する技術分野】
本発明は、例えば、銀行や駅等の建築物の室内外の壁面に設置され、ポスター等の複数のシート状掲示物を順次掲示する連続掲示装置に関するものである。
【０００２】
【従来の技術】
従来、連続掲示装置に関連する先行技術文献としては、特開昭６２−１２４５９０号公報にて開示されたものが知られている。このものには、複数のシート状掲示物（表示体）を順次繰返して掲示する技術が示されている。
【０００３】
【発明が解決しようとする課題】
ところで、上述の連続掲示装置においては、複数のシート状掲示物を順次繰返して掲示するための構成が複雑であり、掲示したいシート状掲示物の枚数に応じて、その分の奥行きが必要であるという不具合があった。
【０００４】
そこで、この発明はかかる不具合を解決するためになされたもので、簡単な構成及び少ない奥行きで多数のシート状掲示物を連続して掲示可能な連続掲示装置の提供を課題としている。
【０００５】
【課題を解決するための手段】
請求項１の連続掲示装置によれば、室内外の壁面に設置されたハウジングは、所定の大きさからなるシート状掲示物に対応する掲示窓を有し、このハウジング内のほぼ両端に設置された一対のスプールは、透明または半透明なロール状のフィルムを一方側から巻出し他方側に巻取って両方向に搬送自在である。また、フィルムの搬送方向に対して直角方向でほぼ全幅にわたって複数のホルダが所定の間隔でフィルムの表面に配設されている。このホルダの複数箇所の所定位置にはスプリング部材が内蔵されており、フィルムの搬送方向に対して張力を有して突出自在である。そして、シート状掲示物の搬送方向の両端に接合された引張補助部材とフィルムの表面で隣接する１組のホルダのスプリング部材とを係合することによってシート状掲示物がフィルムの表面に沿って保持される。これにより、複数のシート状掲示物の連続掲示に際して、ハウジングの奥行きを増大させることなく、フィルムの表面に保持されたシート状掲示物に弛みを生じることなく搬送させることができるという効果が得られる。
【０００６】
請求項２の連続掲示装置によれば、請求項１の一対のスプールのうち片方のスプールには、コイルスプリングがその軸と外筒との間に内蔵されており、そのコイルスプリングにてスプール軸と外筒とが結合されている。このため、コイルスプリングが内蔵された片方のスプールのスプール軸は、フィルムが両スプール間に巻張られた停止状態で、予め余分に回転させ所定の付勢力を与えることができるという効果が得られる。
【０００７】
請求項３の連続掲示装置によれば、請求項２のコイルスプリングには、予め付勢力が両スプールを駆動する電動モータによって付与される。これにより、コイルスプリングを付勢することが容易であり、一対のスプール間に巻張られたフィルムの弛みを除去することができるという効果が得られる。
【０００８】
請求項４の連続掲示装置によれば、請求項１乃至請求項３のいずれか１つに記載のフィルムには、ハウジング側に配設される位置検出器に対向して検出用指標が設けられており、シート状掲示物に対応する所定の停止位置及び巻取順が検出可能となる。これにより、位置検出器からの信号にてフィルムに保持されたシート状掲示物をハウジングの掲示窓の位置と正確に合致するように停止したり、巻取ったりすることができるという効果が得られる。
【０００９】
請求項５の連続掲示装置によれば、請求項１乃至請求項４のいずれか１つに記載のフィルムを、ハウジング内の掲示窓周辺に設けた導電性部材に接触させ、そのフィルム面に生じた静電気を除電させることができる。これにより、フィルムが搬送途中に生じた静電気によってハウジング内の掲示窓等に吸着されたりして、搬送状態に悪影響を及ぼすことが防止できるという効果が得られる。
【００１０】
請求項６の連続掲示装置によれば、請求項１乃至請求項５のいずれか１つに記載のハウジングでは、照明手段によってシート状掲示物が裏面側からフィルムを介して照明される。これにより、シート状掲示物の視認性が向上され、シート状掲示物に対する注目度を増大させることができるという効果が得られる。
【００１１】
請求項７の連続掲示装置によれば、請求項６の照明手段では、ハウジング内のほぼ中央背面側に配設された照明用光源が、ハウジングとの間でヒンジ接続された掲示窓を含む正面カバー及びスプールを含む駆動部分を回動するだけで露出されて交換自在となる。このため、照明用光源の交換が簡単で素早くできるという効果が得られる。
【００１２】
【発明の実施の形態】
以下、本発明を具体的な実施の形態に基づいて説明する。
【００１３】
図１は本発明の一実施の形態にかかる連続掲示装置の全体構成を示す正面図、図２は図１の中央縦断面図である。なお、図１は、ハウジング１０にヒンジ接続されている正面カバー１１を開けた状態を示す。
【００１４】
図１及び図２において、連続掲示装置１００の外観形状は、正面カバー１１を有して壁面に固定される偏平な直方体形状のハウジング１０からなる。正面カバー１１はハウジング１０にヒンジ接続されている。この正面カバー１１は掲示窓１２を有し、その掲示窓１２には透明アクリル板が嵌込まれている。また、このハウジング１０内には、機構台板１３がヒンジ接続されている。この機構台板１３のほぼ上下両端にはスプール２０，３０が軸支されており、これらスプール２０，３０には上下端の補助ローラ２１，３１を介して半透明なポリエステルフィルムからなるロール状のフィルム４０が巻張されている。なお、スプール２０，３０は後述のように電動モータ７０によってチェーン７１を介して駆動される。
【００１５】
このフィルム４０の表面には、所定の間隔で搬送方向に対して直角方向でほぼ全幅にわたって所定の間隔で複数のホルダ４１が固設されている。隣接するホルダ４１の間隔は、後述のようにホルダ４１を介して取付けられるポスター等のシート状掲示物６０の搬送方向の長さによって予め設定され、固設可能なホルダ４１の数は、シート状掲示物６０を伴ったフィルム４０のスプール２０，３０に対する巻取厚みによって物理的に制限される。
【００１６】
ホルダ４１は、フィルム４０の表面側に複数箇所で鋲止めされた基台４２とその基台４２に対して左右からスライド挿入させて組付けられる押え板４３とその間に配設される複数のスプリング部材５０とからなる。また、ホルダ４１の裏面側には補強シート４０ａが接着にて裏打ちされている。
【００１７】
図３は、ホルダ４１の基台４２におけるスプリング部材５０の取付状態を示す拡大詳細図である。
【００１８】
図３に示すように、ホルダ４１の基台４２の複数箇所の所定位置に設けられた切欠部４２ａを利用してスプリング部材５０が配設されている。このスプリング部材５０の中央の長リング部５１のみが基台４２の切欠部４２ａから外側に突出され、基台４２の長手方向の左右の両折曲部４２ｂを利用してスプリング部材５０の両足部５２が摺動自在に保持されている。この取付状態では、スプリング部材５０の長リング部５１は内側方向に付勢され引込まれている。そして、スプリング部材５０の中央の長リング部５１は、図３に破線で示す位置まで付勢力を保持しつつ引出すことが可能である。
【００１９】
次に、シート状掲示物６０について図４を参照して説明する。
【００２０】
図４に示すように、シート状掲示物６０の搬送方向の両端部には、引張補助部材６１がシート状掲示物６０の表裏に折曲げられて接合されている。この引張補助部材６１には複数の略三角形状の孔６２が、フィルム４０に固設されたホルダ４１に配設されたスプリング部材５０に対応する所定位置となるように明けられている。なお、引張補助部材６１の孔６２の裏面側の周囲部分のみはスプリング部材５０の長リング部５１を挿入可能とするためシート状掲示物６０と接合されていない。
【００２１】
次に、シート状掲示物６０をフィルム４０表面に固設されたホルダ４１に取付ける場合について図１、図３及び図４を参照して説明する。
【００２２】
図１において、フィルム４０表面に固設されたホルダ４１から突出している各スプリング部材５０の長リング部５１が引出され（図３に示す破線状態）、シート状掲示物６０の両端部に接合された引張補助部材６１の対応する孔６２（図４参照）にそれぞれ挿入され引掛けられる。ここで、フィルム４０表面で隣接するホルダ４１の間隔は、引張補助部材６１が両端部に接合されたシート状掲示物６０の長さよりも少しだけ大きく設定されている。したがって、各スプリング部材５０の長リング部５１がホルダ４１の切欠部４２ａから少しだけ引出された状態、即ち、スプリング部材５０の長リング部５１からシート状掲示物６０の引張補助部材６１に付勢力が付与された状態で互いに結合される。このため、ホルダ４１間に取付けられたシート状掲示物６０がフィルム４０表面で弛むことなく保持される。また、スプール２０，３０に巻取られたときに生じるフィルム４０とシート状掲示物６０との巻径の相違は、各スプリング部材５０の長リング部５１がホルダ４１の切欠部４２ａから適宜、引出されることで吸収される。
【００２３】
次に、図２に示すスプール２０，３０の詳細を示す図５及び図６の断面図を参照し、その構成について説明する。
【００２４】
図５は、一対のスプール２０，３０のうち片方のスプール２０を示す断面図である。
【００２５】
図５において、スプール２０は左右の鍔部材２０１ａ，２０１ｂが外筒２０２にネジ止めされて一体化されている。鍔部材２０１ａ，２０１ｂの中心を貫通するスプール軸２０３は機構台板１３に軸支され、そのスプール軸２０３の一端にはチェーンスプロケット２０４が緩衝用スプリング２０５を介して接続されている。また、スプール軸２０３は、そのスプール軸２０３に植設されたピン２０６を介して外筒２０２内の回転部材２０７と一体化されている。そして、回転部材２０７は外筒２０２内に収納された巻数の多いコイルスプリング２０８を介して鍔部材２０１ｂと接続されている。
【００２６】
このような構成により、チェーンスプロケット２０４が回転されると、スプール軸２０３及び回転部材２０７を介してコイルスプリング２０８に回転方向の付勢力を与えつつ鍔部材２０１ｂ、即ち、スプール２０全体が回転される。
【００２７】
また、図６において、スプール３０は左右の鍔部材３０１ａ，３０１ｂが外筒３０２にネジ止めされて一体化されている。鍔部材３０１ａ，３０１ｂの中心を貫通するスプール軸３０３は機構台板１３に軸支され、そのスプール軸３０３の一端にはチェーンスプロケット３０４が一方向クラッチを形成するスプリング部材３０５を介して接続されている。
【００２８】
次に、図５及び図６に示す一対のスプール２０，３０にフィルム４０を巻取って巻張するときの初期動作について、本発明の一実施の形態にかかる連続掲示装置の駆動系の構成を示す図７を参照して説明する。
【００２９】
まず、予め複数のホルダ４１が固設されたフィルム４０の両端がスプール２０，３０に取付け固定される。次に、スプール３０の外筒３０２側を保持する。この状態で、電動モータ７０を回転させチェーン７１を図７で時計方向に循環させると、スプリング部材３０５とスプール軸３０３とが滑りながら、スプール３０のチェーンスプロケット３０４が回転される。即ち、スプール３０の外筒３０２は回転せず保持された状態で、チェーン７１を介してスプール２０のチェーンスプロケット２０４が図７で時計方向に回転され続ける。すると、ロール状のフィルム４０はスプール２０の外筒２０２に順次巻取られ、フィルム４０の巻取り終了時点にてフィルム４０のスプール２０，３０間での弛みがなくなることとなる。
【００３０】
この時点から更に、電動モータ７０を回転させチェーン７１を時計方向に循環させ、スプール２０のチェーンスプロケット２０４が所定の回数だけ余分に回転される。これは、スプール２０のチェーンスプロケット２０４から緩衝用スプリング２０５、スプール軸２０３、ピン２０６、回転部材２０７を介した伝達経路でスプール２０内のコイルスプリング２０８に所定の付勢力を付与するためである。したがって、この電動モータ７０による初期動作が終了され電動モータ７０が停止された状態では、スプール２０，３０間に巻張されたフィルム４０に対して所定の張力が付与されることとなる。
【００３１】
このように、フィルム４０に所定の張力が付与されたのちにおいては、電動モータ７０によって等しい歯数に設定されたスプール２０のチェーンスプロケット２０４及びスプール３０のチェーンスプロケット３０４はチェーン７１を介して等速度で時計方向または反時計方向に同時回転される。したがって、フィルム４０はスプール２０，３０のうちの一方側から巻出され、スプール２０，３０のうちの他方側に巻取られることで上下方向に搬送自在となる。このとき、スプール２０，３０の巻径に相違が生じていても、スプール２０内のコイルスプリング２０８の巻数に多少変化が生じるのみであって、その巻出し・巻取りの誤差はコイルスプリング２０８によって吸収される。そして、スプール２０，３０間に巻張されたフィルム４０の張力はほぼ一定に保持され続けるのである。
【００３２】
次に、フィルム４０面上のシート状掲示物６０をハウジング１０の正面カバー１１の掲示窓１２に対して、所定の位置に停止させる構成及びその動作について図１及び図２を参照して説明する。
【００３３】
図１及び図２において、フィルム４０の搬送方向における端面の近傍の表面には、フィルム４０表面に固設されたホルダ４１との位置関係から決まる位置及び巻取順を示すバーコードからなる検出用指標４５が設けられている。この検出用指標４５に対向してハウジング１０の機構台板１３には位置検出器１５が配設されている。また、位置検出器１５はハウジング１０に配設されたコントロールユニット１６と電気的に接続されている。このため、フィルム４０の搬送状態において、位置検出器１５にてフィルム４０の検出用指標４５が読取られ、ハウジング１０にヒンジ接続された正面カバー１１の掲示窓１２に対するシート状掲示物６０の位置とシート状掲示物６０の巻取順とがコントロールユニット１６にて判定される。この判定結果に基づき、コントロールユニット１６は電気的に接続された電動モータ７０を駆動・停止させることができる。また、コントロールユニット１６のプログラム機能を用いることで、例えば、複数のシート状掲示物６０を所定時間ずつ順次掲示させ、所定のシート状掲示物に到達したら電動モータ７０を逆回転に切換えフィルム４０を巻戻すことで繰返し掲示させたりすることができる。
【００３４】
このように、本実施の形態の連続掲示装置は、室内外の壁面に設置され、所定の大きさからなるシート状掲示物６０に対応する掲示窓１２を有するハウジング１０と、ハウジング１０内のほぼ両端に設置され、透明または半透明なロール状のフィルム４０を一方側から巻出し他方側に巻取って両方向に搬送自在な一対のスプール２０，３０と、フィルム４０の搬送方向に対して直角方向でほぼ全幅にわたって所定の間隔でフィルム４０の表面に配設された複数のホルダ４１と、ホルダ４１の複数箇所の所定位置に内蔵され、フィルム４０の搬送方向に対して張力を有して突出自在なスプリング部材５０と、シート状掲示物６０の搬送方向の両端に接合され、フィルム４０の表面で隣接する１組のホルダ４１のスプリング部材５０と係合することによってシート状掲示物６０をフィルム４０の表面に沿わせて保持する引張補助部材６１とを具備するものである。
【００３５】
したがって、室内外の壁面に設置されたハウジング１０は、所定の大きさからなるシート状掲示物６０に対応する掲示窓１２を有し、このハウジング１０内のほぼ両端に設置された一対のスプール２０，３０は、透明または半透明なロール状のフィルム４０を一方側から巻出し他方側に巻取って両方向に搬送自在である。また、フィルム４０の搬送方向に対して直角方向でほぼ全幅にわたって複数のホルダ４１が所定の間隔でフィルム４０の表面に配設されている。このホルダ４１の複数箇所の所定位置にはスプリング部材５０が内蔵されており、フィルム４０の搬送方向に対して張力を有して突出自在である。そして、シート状掲示物６０の搬送方向の両端に接合された引張補助部材６１とフィルム４０の表面で隣接する１組のホルダ４１のスプリング部材５０とを係合することによってシート状掲示物６０がフィルム４０の表面に沿って保持される。このため、複数のシート状掲示物６０の連続掲示に際して、ハウジング１０の奥行きを増大させることなく、フィルム４０の表面に保持されたシート状掲示物６０に弛みを生じることなく搬送させることができる。
【００３６】
また、本実施の形態の連続掲示装置における一対のスプール２０，３０のうち片方のスプール２０は、スプール軸２０３と外筒２０２との間に内蔵され、それらを結合するコイルスプリング２０８を具備するものである。
【００３７】
したがって、一対のスプール２０，３０のうち片方のスプール２０には、コイルスプリング２０８がそのスプール軸２０３と外筒２０２との間に内蔵されており、そのコイルスプリング２０８にてスプール軸２０３と外筒２０２とが結合されている。このため、コイルスプリング２０８が内蔵された片方のスプール２０のスプール軸２０３は、フィルム４０がスプール２０，３０間に巻張られた停止状態で、予め余分に回転させ所定の付勢力を与えることができる。
【００３８】
そして、本実施の形態の連続掲示装置におけるコイルスプリング２０８は、スプール２０を駆動する電動モータ７０によって予め付勢力を付与するものである。
【００３９】
したがって、予め付勢力が両スプール２０，３０を駆動する電動モータ７０によって付与される。これにより、コイルスプリング２０８を付勢することが容易であり、一対のスプール２０，３０間に巻張られたフィルム４０の弛みを除去することができる。
【００４０】
更に、本実施の形態の連続掲示装置におけるフィルム４０は、ハウジング１０側に配設される位置検出器１５に対向し、位置検出器１５によってシート状掲示物６０に対応する所定の停止位置及び巻取順を検出可能な検出用指標４５を具備するものである。
【００４１】
したがって、フィルム４０には、ハウジング１０側に配設される位置検出器１５に対向して検出用指標４５が設けられており、シート状掲示物６０に対応する所定の停止位置及び巻取順が検出可能となる。このため、位置検出器１５からの信号にてフィルム４０に保持されたシート状掲示物６０をハウジング１０の掲示窓１２の位置と正確に合致するように停止したり、巻取ったりすることができる。
【００４２】
なお、フィルム４０は、ハウジング１０の正面カバー１１の掲示窓１２の周辺で搬送方向両側に取付けられた搬送ガイド部材１８と摺動され、掲示窓１２と所定の間隔が保持されつつ搬送される。この搬送ガイド部材の両終端部には、ステンレス繊維等からなる除電ブラシ１９が設けられており、フィルム４０面に生じた静電気が除電ブラシ１９、正面カバー１１を介してハウジング１０側に逃がされ除電される。これは、フィルム４０（シート状掲示物６０を含む）に静電気が溜まるとフィルム４０が掲示窓１２に吸引され、フィルム４０の搬送が阻害されることを防止するものである。
【００４３】
このように、本実施の形態の連続掲示装置におけるフィルム４０は、フィルム４０面に生じた静電気をハウジング１０の正面カバー１１内の掲示窓１２周辺に設けた除電ブラシ１９からなる導電性部材に接触させ除電するものである。
【００４４】
したがって、フィルム４０を、ハウジング１０内の掲示窓１２周辺に設けた導電性部材としての除電ブラシ１９に接触させ、そのフィルム４０面に生じた静電気を除電させることができる。このため、フィルム４０が搬送途中に生じた静電気によってハウジング１０内の掲示窓１２等に吸着されたりして、搬送状態に悪影響を及ぼすことが防止できる。
【００４５】
次に、ハウジング１０内にてシート状掲示物６０を裏面側から照明するための構成及びその作用について図２を参照して説明する。
【００４６】
図２において、ハウジング１０内のほぼ中央背面側には大きさの異なる２つの丸形蛍光灯８１ａ，８１ｂが固定され配設されている。これらの丸形蛍光灯８１ａ，８１ｂに対して、縦２面及び横２面の傾斜枠構造からなる反射部材８２の構造体が機構台板１３に固設されている。そして、反射部材８２のフィルム４０の裏面側となる位置には乳白色アクリルからなる拡散板８３が配設されている。このため、丸形蛍光灯８１ａ，８１ｂからの光は直接または反射部材８２で反射されて拡散板８３に到達され、フィルム４０を介してシート状掲示物６０が裏面側からほぼ均一に照明される。
【００４７】
そして、丸形蛍光灯８１ａ，８１ｂを交換するときには、ハウジング１０にヒンジ接続された正面カバー１１を開けたのち（図１参照）、更に、ハウジング１０にヒンジ接続された機構台板１３が図示しない固定用ネジを外すことで回動される。したがって、機構台板１３と一体的な反射部材８２が、丸形蛍光灯８１ａ，８１ｂの正面側から退避される。このため、正面側に丸形蛍光灯８１ａ，８１ｂが露出されることとなり、簡単に交換することができる。
【００４８】
このように、本実施の形態の連続掲示装置におけるハウジング１０は、シート状掲示物６０を裏面側からフィルム４０を介して照明する蛍光灯８１ａ，８１ｂ、反射部材８２、拡散板８３からなる照明手段を具備するものである。
【００４９】
したがって、照明手段としての蛍光灯８１ａ，８１ｂ、反射部材８２、拡散板８３によってシート状掲示物６０が裏面側からフィルム４０を介して照明される。これにより、シート状掲示物６０の視認性が向上し、シート状掲示物６０に対する注目度を増大させることができる。
【００５０】
また、本実施の形態の連続掲示装置における蛍光灯８１ａ，８１ｂ、反射部材８２、拡散板８３からなる照明手段は、ハウジング１０の掲示窓１２を含む正面カバー１１及びスプール２０，３０を含む機構台板１３からなる駆動部分をハウジング１０との間のヒンジ接続を介してそれぞれ回動し、ハウジング１０内のほぼ中央背面側に配設される蛍光灯８１ａ，８１ｂからなる照明用光源を露出し交換自在とするものである。
【００５１】
したがって、照明手段としての蛍光灯８１ａ，８１ｂ、反射部材８２、拡散板８３では、ハウジング１０内のほぼ中央背面側に配設された照明用光源としての蛍光灯８１ａ，８１ｂが、ハウジング１０との間でヒンジ接続された掲示窓１２を含む正面カバー１１及びスプール２０，３０を含む駆動部分としての機構台板１３を回動するだけで露出されて交換自在となる。このため、蛍光灯８１ａ，８１ｂの交換が簡単で素早くできる。
【００５２】
ところで、上記実施の形態では、フィルム４０表面に設けられたバーコードからなる検出用指標４５を位置検出器１５にて読取ってコントロールユニット１６でフィルム４０の停止位置や掲示順序等を制御しているが、本発明を実施する場合には、これに限定されるものではなく、例えば、パンチ穴からなる検出用指標４５を通過した光を読取る方式等でもよく、要はフィルム４０の現在位置を特定できればよい。
【００５３】
また、上記実施の形態では、フィルム４０面に生じた静電気をハウジング１０内の掲示窓１２周辺に設けたステンレス繊維等の除電ブラシ１９からなる導電性部材に接触させて除電しているが、本発明を実施する場合には、これに限定されるものではなく、この他、補助ローラ２１，３１を導電性ゴムローラで形成して除電するようにしてもよい。
【００５４】
そして、上記実施の形態では、照明手段の照明用光源として、蛍光灯８１ａ，８１ｂを用いているが、本発明を実施する場合には、これに限定されるものではなく、一定以上の光量が確保され、配光特性が良好な種々の光源を適宜使用することができる。
【図面の簡単な説明】
【図１】  図１は本発明の一実施の形態にかかる連続掲示装置の全体構成を示す正面図である。
【図２】  図２は図１の中央縦断面図である。
【図３】  図３は本発明の一実施の形態にかかる連続掲示装置で用いられるホルダのスプリング部材を示す詳細図である。
【図４】  図４は本発明の一実施の形態にかかる連続掲示装置で用いられるシート状掲示物に接合された引張補助部材を示す図である。
【図５】  図５は本発明の一実施の形態にかかる連続掲示装置の片方のスプールの構成を示す断面図である。
【図６】  図６は本発明の一実施の形態にかかる連続掲示装置の他方のスプールの構成を示す断面図である。
【図７】  図７は本発明の一実施の形態にかかる連続掲示装置の駆動系を示す構成図である。
【符号の説明】
１０          ハウジング
１１          正面カバー
１２          掲示窓
１３          機構台板
１５          位置検出器
１９          除電ブラシ
２０，３０    スプール
４０          フィルム
４１          ホルダ
４５          検出用指標
５０          スプリング部材
６０          シート状掲示物
６１          引張補助部材
７０          電動モータ
１００          連続掲示装置
２０２，３０２  外筒
２０３，３０３  スプール軸
２０８          コイルスプリング
【図１】
0003705630.tif 000002
【図２】
0003705630.tif 000003
【図３】
0003705630.tif 000004
【図４】
0003705630.tif 000005
【図５】
0003705630.tif 000006
【図６】
0003705630.tif 000007
【図７】
0003705630.tif 000008